Podtech/llm-jp-corpus-v4-ja_patent huggingface dataset:
(57)【要約】【課題】  ５線紙に書かれた音符を瞬時に上下に移動させる楽譜移調シートを提供する。【解決手段】  透明なシートに同間隔の５本の黒線を印刷し、５本の黒線の上部と下部に５本の黒線と同間隔の白線を３本ずつ印刷し、楽譜の書かれた５線紙にシートをのせ、シートを上下させることによりシート上に上下した音符を表示させる楽譜移調シート。【選択図】図１
2010113321.tif 000002
【特許請求の範囲】
【請求項１】
透明なシートに同間隔の５本の黒線を印刷し、５本の黒線の上部と下部に５本の黒線と同間隔の白線を３本ずつ印刷し、楽譜の書かれた５線紙にシートをのせ、シートを上下させることによりシート上に上下した音符を表示させる事を特徴とする楽譜移調シート。
【発明の詳細な説明】
【技術分野】
【０００１】  本発明は、５線紙に記された音符を上下させ譜面を転調させるための、楽譜移調シートに関するものである。
【背景技術】
【０００２】  従来、５線紙に記された音符を上下させ移調する為には、５線紙に直接音符を書き込んだり、別の５線紙に移調後の譜面を書いたりする必要があった。
なお、音階を表示したバーと、音階を示す符号を表示したバーとを備え、これらのバーを対比させることにより移調前及び移調後の音階、和音などを示す表示器が知られている（特許文献１）
【特許文献１】登録実用新案第３０８７４８３号公報
【発明が解決しようとする課題】
【０００３】  そのために、次のような問題点があった。
（イ）５線紙に直接音符を記入すると原本の楽譜が汚れてしまう。又、音符が重なってしまい見難くかった。
（ロ）移調した楽譜を新たに作成するには、一音一音を移調し、別の５線紙に書きかえる必要があり、その作業には膨大な時間がかかっていた。
本発明は、以上の問題点を解決するためになされたものである。
【問題を解決するための手段】
【０００４】  透明なシートに同間隔の５本の黒線を印刷し、５本の黒線の上部と下部に５本の黒線と同間隔の白線を３本ずつ印刷する。そして、楽譜の書かれた５線紙にシートをのせ、シートを上下させることによりシート上に上下した音符を表示させる。以上を特徴とする楽譜移調シートである。
【発明の効果】
【０００５】  本発明は簡単に音符を上下させることができるため、楽譜を移調する際、原本の楽譜に直接書き込んだり、別紙に書き換えたりする必要がない。したがって、瞬時に移調された楽譜を見ることができる。
また、書き込んだり、別紙に書き換えたりしないため、移調後の楽譜を書き間違える心配がない。
【発明を実施するための最良の形態】
【０００６】  以下、本発明の実施の形態を説明する。
（イ）長方形の透明なシート（１）の中央部に黒い第一線（２）、黒い第二線（３）、黒      い第三線（４）、黒い第四線（５）、黒い第五線（６）からなる五線を印刷する。      黒い第一線（２）、黒い第二線（３）、黒い第三線（４）、黒い第四線（５）、黒      い第五線（６）はそれぞれ同間隔に印刷する。
（ロ）一番下に印刷された黒い第一線（２）の下に白い下第一線（７）、白い下第二線（      ８）、白い下第三線（９）を印刷する。白い下第一線（７）、白い下第二線（８）      、白い下第三線（９）はそれぞれ黒い第一線（２）、黒い第二線（３）、黒い第三      線（４）、黒い第四線（５）、黒い第五線（６）と同間隔に印刷する。
（ハ）一番上に印刷された黒い第五線（６）の上に白い上第一線（１０）、白い上第二線      （１１）、白い上第三線（１２）を印刷する。白い上第一線（１０）、白い上第二      線（１１）、白い上第三線（１２）それぞれ黒い第一線（２）、黒い第二線（３）      、黒い第三線（４）、黒い第四線（５）、黒い第五線（６）と同間隔に印刷する。
本発明は以上のような構造で、これを使用するときは、上記の楽譜移調シートを楽譜にのせ、楽譜の第一線、第二線、第三線、第四線、第五線と、楽譜移調シートの黒い第一線（２）、黒い第二線（３）、黒い第三線（４）、黒い第四線（５）、黒い第五線（６）を重ね合わせる。
ミ→ド、ソ→ミのように楽譜に書かれた音符を３度下に移動させるときは、楽譜移調シートを上に移動させ、楽譜の第一線と楽譜移調シートの白い下第一線（７）を重ね合わせる。そうすると、もとの楽譜の第一線が楽譜移調シートの白い下第一線（７）に隠され見えなくなる。もとの楽譜の第二線、と楽譜移調シートの黒い第一線（２）、もとの楽譜の第三線と楽譜移調シートの黒い第二線（３）、もとの楽譜の第四線と楽譜移調シートの黒い第三線（４）、もとの楽譜の第五線と楽譜移調シートの黒い第四線（５）がそれぞれ重なり合う。もとの楽譜の上第一線は本来線のない部分だが楽譜移調シートの黒い第五線（６）と重なることにより新たな第五線が浮かび上がる。もとの楽譜の第一線が見えなくなり、上第一線が現れることにより、もとの楽譜の五線紙上に記されている音符を３度下に移動させた譜面を楽譜移調シートの黒い第一線（２）、黒い第二線（３）、黒い第三線（４）、黒い第四線（５）、黒い第五線（６）がつくりだす五線上にみることができる。
さらに重ね合わせる線を上にずらしていけば、もとの楽譜の五線紙上に記されている音符を５度下に移動させた譜面、７度下に移動させた譜面をそれぞれ楽譜移調シートの黒い第一線（２）、黒い第二線（３）、黒い第三線（４）、黒い第四線（５）、黒い第五線（６）がつくりだす五線上にみることができる。
同様に重ね合わせる線を下にずらしていけば、もとの楽譜の五線紙上に記されている音符を３度上に移動した譜面、５度上に移動させた譜面、７度上に移動させた譜面をそれぞれ楽譜移調シートの黒い第一線（２）、黒い第二線（３）、黒い第三線（４）、黒い第四線（５）、黒い第五線（６）がつくりだす五線上にみることができる。
【図面の簡単な説明】
【０００７】
【図１】本発明の斜視図
【符号の説明】
【０００８】  １    透明なシート
２    黒い第一線
３    黒い第二線
４    黒い第三線
５    黒い第四線
６    黒い第五線
７    白い下第一線
８    白い下第二線
９    白い下第三線
１０  白い上第一線
１１  白い上第二線
１２  白い上第三線
【図１】
2010113321.tif 000003
(57)【要約】【課題】太陽電池用シリコンウエハーを薄型化すること。【解決手段】シリコンウエハー層と保護層とを有する太陽電池用積層体。該保護層は、電極を有していてもよい。【選択図】図１
2010283051.tif 000002
【特許請求の範囲】
【請求項１】
シリコンウエハー層と保護層とを有する太陽電池用積層体。
【請求項２】
シリコンウエハー層の両面または片面に保護層を有する請求項１に記載される積層体。
【請求項３】
シリコンウエハー層の厚さが５０μｍ以上、２５０μｍ以下である請求項１または２に記載される積層体。
【請求項４】
保護層が電極を有している請求項１〜３のいずれかに記載される積層体。
【発明の詳細な説明】
【技術分野】
【０００１】
本発明は、太陽電池用積層体に関する。
【背景技術】
【０００２】
単結晶型または多結晶型の太陽電池は、コストや変換効率の点から、最も普及している太陽電池であるが、さらなるコスト削減等の観点から、シリコンウエハーの薄型化が求められている。
【発明の概要】
【発明が解決しようとする課題】
【０００３】
しかしながら、かかる太陽電池用シリコンウエハーを厚さ３００μｍ以下に薄型化すると、運搬時や加工時には破損しやすく、また、熱処理時にはウエハの反りが生じやすく、それらの改善が求められていた。
【課題を解決するための手段】
【０００４】
本発明者は、太陽電池用シリコンウエハーの薄型化について鋭意検討を重ねた結果、本発明に至った。
【０００５】
すなわち、本発明は、
１．シリコンウエハー層と保護層とを有する太陽電池用積層体；
２．シリコンウエハー層の両面または片面に保護層を有する前項１に記載される積層体；
３．シリコンウエハー層の厚さが５０μｍ以上、２５０μｍ以下である前項１または２に記載される積層体；および
４．保護層が電極を有している前項１〜３のいずれかに記載される積層体；
を提供するものである。
【発明の効果】
【０００６】
本発明によれば、太陽電池用シリコンウエハーの薄型化が容易になる。
【図面の簡単な説明】
【０００７】
【図１】図１は、本発明の積層体の断面図の一例である。
【図２】図２は、結晶Ｓｉ系太陽電池作製プロセスの一例である。
【発明を実施するための形態】
【０００８】
以下、本発明を詳細に説明する。本発明は、シリコンウエハー層と保護層とを有する太陽電池用積層体である。
【０００９】
シリコンウエハー層の厚さは、通常３００μｍ以下であり、好ましくは５０μｍ以上、２５０μｍ以下の範囲である。
【００１０】
保護層は、シリコンウエハー層の両面に有していてもよいし、片面のみに有していてもよい。保護層の基材としては特に制限は無く、例えば、ポリエチレン、直鎖状低密度ポリエチレン、ポリプロピレン、エチレン−酢酸ビニル共重合体、エチレン−メタアクリル酸メチル、ポリ塩化ビニル、ポリアミド、ポリエチレンテレフタレート、ポリビニルアルコール、ポリビニルブチラール、シリコーン等の合成樹脂が用いられ、単体であっても複層体であってもよい。その厚さは、２０μｍ以上、５００μｍ以下の範囲であることが好ましい。フィルム状の基材をシリコンウエハー層に積層することにより保護層を形成してもよいし、液状やゲル状等の流動性の基材をシリコンウエハーの表面に塗布し、固化させて積層することにより保護層を形成してもよい。
【００１１】
該保護層は、電極を有していてもよい。電極材料としては特に制限はないが、例えば、一般的に太陽電池用電極材料として使用されているＡｇ、Ａｌ、Ａｕ、Ｃｕなどを挙げることができる。中でも、裏面電極材としては電気伝導性の観点からＡｇまたはＡｌが好ましく、さらにシリコンウエハー内の該電極付近にｐ＋層を形成することによりＢＳＦ（Ｂａｃｋ  Ｓｕｒｆａｃｅ  Ｆｉｅｌｄ）効果を得るためにＡｌがより好ましい。表面電極としては電気伝導性の観点からＡｇがより好ましい。また該保護層内の電極の形状としては特に制限は無いが、太陽光を効率的に吸収させる観点から表面電極は、高アスペクト比（図１中のｂ／ａ値が１以上）の形状がより好ましい。
【００１２】
フィルム状の保護層をシリコンウエハー層に積層させる際に、粘着剤を用いてもよい。粘着剤には特に制限はなく、例えば、溶液型粘着剤、エマルジョン型粘着剤、ホットメルト型粘着剤等の公知の粘着剤を使用することができる。具体的には、アクリル系粘着剤、ビニルエーテル系粘着剤、シリコン系粘着剤、ゴム系粘着剤等が挙げられる。粘着層の 厚さは、１μｍ以上、２００μｍ以下の範囲であることが好ましい。
【００１３】
次に、本発明の積層体の製造方法について説明する。本発明の積層体は、シリコンインゴットの平面状の表面に保護層を形成する第一工程と、保護層が形成された表面を有するシリコンインゴットから該表面と平行にシリコンウエハー層を切り出す第二工程とを含む方法により製造される。また、かかる製造方法は、さらに、切り出されたシリコンウエハー層のうち保護層を有さない平面状の表面に保護層を形成する第三工程を含んでいてもよい。
【００１４】
シリコンインゴットの純度は、切り出されるシリコンウエハー層が太陽電池用として使用可能な範囲であれば、特に限定されない。その平面状の表面とは、シリコンインゴットからシリコンウエハー層または不要部分を切り出して得られる面をいう。保護層は、該表面に粘着剤を塗布し、その上にフィルム状の基材を貼付する方法により形成してもよいし、予め粘着剤が塗布されたフィルム状の基材を、該表面に粘着剤が接するように貼付する方法により形成してもよいし、該表面に液状やゲル状等の流動性の基材を塗布し、固化させる方法により形成してもよい。
【００１５】
保護層が形成された表面を有するシリコンインゴットからシリコンウエハー層を切り出す方法としては、例えば、バンドソー（帯ノコギリ）やワイヤーソーを用いる方法等の通常の方法が挙げられる。第一工程で得られる保護層が形成された表面から、所望する太陽電池用シリコンウエハー層の厚さに相当する箇所を切断すればよい。
【００１６】
第三工程における保護層の形成は、第一工程と同様に実施すればよい。
【００１７】
本発明の太陽電池用積層体は、必要に応じて加熱処理や化学的処理により、保護層や粘着層を除去し、シリコンウエハー層を残すことができる。この際、保護層が電極を有している場合は、電極を有するシリコンウエハー層が形成される。
【００１８】
また本発明の太陽電池用積層体は、モジュール工程において他の一般的な封止材と積層させることもできる。
【００１９】
本発明の積層体の製造を含む結晶Ｓｉ系太陽電池作製プロセスの一例を図２に示す。図２において、Ｉ．は上記の第一工程に、II．は上記の第二工程に、III．は上記の第三工程に、それぞれ相当する。したがって、II．またはIII．の段階で本発明の積層体が製造される。図２のIV．以降の工程は必要に応じて実施すればよい。例えば、VII．やIX．の工程は、保護層に電極を有している場合にのみ実施すればよい。また、VIII．の工程は、上記の保護層や粘着層を除去するための加熱処理に相当する。
【産業上の利用可能性】
【００２０】
本発明により、太陽電池用シリコンウエハーの薄型化が期待される。
【符号の説明】
【００２１】
１．シリコンウエハー層
２．保護層（着色部分は電極を表す）
【図１】
2010283051.tif 000003
【図２】
2010283051.tif 000004
(57)【要約】【課題】カメラの被写体が犬や猫、赤ちゃんなどである場合に、被写体をカメラの方に向かせてシャッターチャンスを創り出す、シャッターチャンス創出装置を提供する。【解決手段】カメラのファインダーを兼ねたタッチスクリーン１４の上のスイッチを押すことにより、ＣＰＵ１２は、メモリ１０に格納されている、被写体の興味を喚起する音のデータをＤ／Ａ変換器１６、アンプ１８およびスピーカを介して再生する。これにより被写体がカメラの方を向くのでシャッターチャンスが生まれる。【選択図】図１
2010283537.tif 000002
【特許請求の範囲】
【請求項１】
カメラに内蔵され、またはカメラと共に使用され、
前記カメラの被写体の興味を喚起する刺激を発生し、それによって前記カメラのためのシャッターチャンスを創り出す刺激発生手段を具備するシャッターチャンス創出装置。
【請求項２】
前記刺激は前記被写体の注意を惹く音である請求項１記載の装置。
【請求項３】
前記カメラが捉えている画像を解析することにより前記被写体がカメラの方を向いたことを検出して自動的にシャッターを押す手段をさらに具備する請求項１または２記載の装置。
【請求項４】
被写体の注意を惹く音として使用する音を採取し記録する手段をさらに具備する請求項２または３記載の装置。
【請求項５】
請求項１〜４のいずれか１項記載の装置をコンピュータに実現させるプログラム。
【発明の詳細な説明】
【技術分野】
【０００１】
本発明は、カメラに内蔵され、またはカメラと共に使用されて、カメラのシャッターチャンスを創り出すシャッターチャンス創出装置に関する。
【背景技術】
【０００２】
犬や猫、赤ちゃんなどの写真を撮る際には、声をかけてもなかなかカメラの方を向いてくれないので、気に入った写真を撮ることは難しい。
【発明の概要】
【発明が解決しようとする課題】
【０００３】
したがって本発明の目的は、カメラの被写体が犬や猫、赤ちゃんなどである場合に、被写体をカメラの方に向かせてシャッターチャンスを創り出す、シャッターチャンス創出装置を提供することにある。
【課題を解決するための手段】
【０００４】
本発明によれば、カメラに内蔵され、またはカメラと共に使用され、前記カメラの被写体の興味を喚起する刺激を発生し、それによって前記カメラのためのシャッターチャンスを創り出す刺激発生手段を具備するシャッターチャンス創出装置が提供される。
【図面の簡単な説明】
【０００５】
【図１】本発明の一実施形態に係るシャッターチャンス創出装置の構成を示すブロック図である。
【図２】図１のシャッターチャンス創出装置の動作を説明する図である。
【図３】カメラに取り付けられるストラップの一部として実現した例を説明する図である。
【発明を実施するための形態】
【０００６】
図１は、本発明の一実施形態に係る、ディジタルカメラに内蔵されるタイプのシャッターチャンス創出装置の構成を示すブロック図である。
【０００７】
メモリ１０にはＣＰＵ１２の動作のためのプログラムおよびデータの他、被写体の注意を惹く音をディジタル化したデータが記憶される。タッチスクリーン１４はこのシャッターチャンス創出装置の操作のためのスイッチとカメラのファインダーを兼ねており、図２の（ａ）欄に示すように、カメラが現在捉えている被写体（犬）２１の画像２２に重ねて、操作のためのスイッチ２４，２６，２８が表示される。ＣＰＵ１２がメモリ１０から読み出した音のディジタルデータはディジタル／アナログ変換器１６によりアナログ信号に変換され、アンプ１８で増幅されて、スピーカ２０を鳴動させる。
【０００８】
図２の（ａ）欄に示すように、音を出す操作のためのスイッチは好ましくは複数（２４，２６，２８）設けられ、ユーザがその１つを選択することができる。ユーザがスイッチ２４，２６，２８の１つを選択して押す操作を行うと、ＣＰＵ１２はそれに対応して記録されている音のデータをメモリ１０から読み出してディジタル／アナログ変換器１６へ出力することにより、被写体が注意を惹かれそうな音、例えば被写体が犬であればニワトリの鳴き声３０がスピーカ２０から出力される（図２（ａ）欄）。この音に注意を惹かれて被写体の犬がカメラの方を向くことによりシャッターチャンスが生まれるので（図２（ｂ）欄）、ユーザがシャッター３２を押すことによりその写真を撮ることができる。撮影された画像のデータもメモリ１０に格納される。
【０００９】
被写体の注意を惹く音としては、例えば被写体が犬であれば上記のような動物の鳴き声、猫であればビニール袋のカサカサ音、キャットフードの缶を開ける音、赤ちゃんであればガラガラやオルゴールの音などが挙げられる。予めメモリ１０に格納する以外にも、マイクロホンで収録した音をＡ／Ｄ変換して格納する機能（図１には図示せず）により、ユーザが録音した音を使用することを可能にすることが望ましい。
【００１０】
また、被写体の興味を喚起する刺激として、上記の可聴音以外にも、人間には聞きとれない超音波や、光、風、香りなども考えられる。
【００１１】
ユーザがシャッター３２を押して写真を撮る代わりに、タッチスクリーン１４に表示されている、カメラが現在捉えている画像２２を解析して被写体２１がカメラの方を向いたことを検出して自動的にシャッターを押すようにすることもできる。
【００１２】
この装置をディジタルカメラに内蔵させる代わりに、図３の（ａ）欄に示すように、カメラに取り付けられるストラップ４０の一部として実現することもできる。この場合にはスイッチ４２を押すことにより、ニワトリの鳴き声３０が出力され、これに注意を惹かれて被写体の犬がカメラの方を向くことによりシャッターチャンスが生まれる（図３（ｂ）欄）。
また、ディジタルカメラに限らず、アナログ式のカメラに対しても本発明は適用可能である。さらに、カメラの他の例として、カメラの機能を内蔵した携帯電話機やＰＤＡ（Ｐｅｒｓｏｎａｌ  Ｄｉｇｉｔａｌ  Ａｓｓｉｓｔａｎｔｓ）などにも適用可能である。
【図１】
2010283537.tif 000003
【図２】
2010283537.tif 000004
【図３】
2010283537.tif 000005
(57)【要約】      （修正有）【課題】大型モニターをすべて取り付けできる２つの金具、パソコンやＡＶ機器を搭載できる柔軟な移動棚、ケーブルを収納できる柱、モニターを取り付けした状態で移動できるグリップハンドルと大型キャスターを提供する。【解決手段】モニター取り付け金具１を大型モニターの背面に取り付けた状態でマウントプレート２に引っ掛けて落下防止ビス３で固定する。パソコンやＡＶ機器を載せる高さ移動可能な棚５がついており、また接続されたケーブル類を収納できる柱６にスペースがある。接続された状態で移動できるように握りやすく押しやすいグリップハンドル７がついており下部にストッパーロック付キャスター４がついて、さらにスタンドベース８の裏側におもりが溶接されており、転倒をしにくい低重心構造である。【選択図】図１
2010283566.tif 000002
【特許請求の範囲】
【請求項１】
３７〜５２インチのモニターを２つの金具で取り付けできる大型モニタースタンド
【請求項２】
キャスター付にてモニター取り付け状態で移動可能である大型モニタースタンド
【請求項３】
パソコンやＡＶ機器を載せる移動式の棚がある大型モニタースタンド
【請求項４】
柱に多様なケーブル類を収納が可能である大型モニタースタンド
【請求項５】
グリップハンドルにてモニターを付けた状態で移動しやすい大型モニタースタンド
【請求項６】
転倒防止のため下部ベースにおもりを溶接した低重心構造である大型モニタースタンド
【発明の詳細な説明】
【技術分野】
【０００１】
本発明は、大型モニタースタンドの仕様に関する。
【背景技術】
【０００２】
地上デジタル放送の移管のため大型モニターが普及し、企業においてもプレゼンテーションやテレビ会議にも大型モニターを使用することが多く、モニター取り付けした状態で移動ができる大型モニタースタンドの需要が増加しています。
【発明の概要】
【発明が解決しようとする課題】
【０００３】
しかしながら、大型モニタースタンドの多くはモニター取り付けが複雑で多数の取り付け金具が必要です。またパソコンやＡＶ機器を搭載できる柔軟な棚がなく、ケーブル類はむき出しで見栄えも悪い。さらに、スタンドの多くは据え置き型が多く、モニターを取り付けた状態での移動ができないのが現状です。
【課題を解決するための手段】
【０００４】
本発明は、大型モニターをすべて取り付けできる２つの金具、パソコンやＡＶ機器を搭載できる柔軟な移動棚、ケーブルを収納できる柱、モニターを取り付けした状態で移動できるグリップハンドルと大型キャスターを提供することで上記課題を解決する。
【発明の効果】
【０００５】
本発明は、大型モニターを簡単に取り付けられ、パソコンやＡＶ機器を接続した状態で設置場所に限らず、周囲を自由に移動できることが可能となる。
【図面の簡単な説明】
【０００６】
【図１】本発明に係る大型モニタースタンドの外観図
【図２】本発明に係る大型モニターを取り付けする金具とマウントプレートの実装図
【図３】本発明に係るキャスターを取り付けた実装図
【図４】本発明に係る移動式の棚の外観図
【図５】本発明に係るケーブル収納スペースがある柱の外観図
【図６】本発明に係る移動する際のグリップハンドルの外観図
【図７】本発明に係るスタンドベースのおもりの外観図
【発明を実施するための形態】
【０００７】
以下実施例を示す。
【実施例】
【０００８】
本発明の大型モニタースタンドは、図２に示されるように、大型モニターの背面に金具を取り付け、マウントプレートに引っ掛け、下部のビスで落下しないように固定する。
【０００９】
本発明の大型モニタースタンドは、図３に示されるように、ベースの４隅にキャスターを取り付け、移動可能にする。
【００１０】
本発明の大型モニタースタンドは、図４に示されるように、前面にパソコンやＡＶ機器を載せ、上下に高さが変更可能な移動式の棚である。
【００１１】
本発明の大型モニタースタンドは、図５に示されるように、パソコンやＡＶ機器から接続されたケーブル類を収納できるスペースを設けた柱である。
【００１２】
本発明の大型モニタースタンドは、図６に示されるように、大型モニターを取り付けた状態で移動する際に、押しやすく握りやすい角度のついたグリップハンドルである。
【００１３】
本発明の大型モニタースタンドは、図７に示されるように、スタンドベースの裏側におもりを溶接し、低重心構造で転倒防止効果がある。
【符号の説明】
【００１４】
１  モニター取り付け金具
２  マウントプレート
３  落下防止ビス
４  キャスター
５  移動式棚板
６  柱
７  グリップハンドル
８  おもり
【図１】
2010283566.tif 000003
【図２】
2010283566.tif 000004
【図３】
2010283566.tif 000005
【図４】
2010283566.tif 000006
【図５】
2010283566.tif 000007
【図６】
2010283566.tif 000008
【図７】
2010283566.tif 000009
(57)【要約】【課題】  温排水の熱エネルギーを有効に活用することのできる蒸気圧縮式冷凍機を得ること。【解決手段】  温排水タンク５の上部に管路６を介してスクリュー式コンプレッサ１を接続する。スクリュー式コンプレッサ１の出口側に管路９を介して凝縮器２を接続する。凝縮器２には、冷却水供給管１０とエゼクター式真空ポンプ１１を接続する。凝縮器２の下方に、膨張弁３を介して蒸発器４を接続する。蒸発器４には、冷媒供給管１５と排出管１６を接続する。  温排水タンク５内で再蒸発した蒸気は、スクリュー式コンプレッサ１に吸引され、冷却凝縮と断熱膨張を行って冷媒を冷却するための冷却熱源として有効に活用される。【選択図】 図１
2010065984.tif 000002
【特許請求の範囲】
【請求項１】
圧縮機と凝縮器と膨張弁と蒸発器からなるものにおいて、圧縮機をスクリュー式のコンプレッサとすると共に、当該スクリュー式コンプレッサの入口側に比較的低温度の温排水源を接続して、当該温排水の再蒸発蒸気をスクリュー式コンプレッサで圧縮することを特徴とする蒸気圧縮式冷凍機。
【発明の詳細な説明】
【技術分野】
【０００１】
この発明は蒸気圧縮式冷凍機に関し、特に、従来は廃棄されていた温排水からの再蒸発蒸気を利用する蒸気圧縮式冷凍機に関する。
【背景技術】
【０００２】
冷凍機は、発電機２と吸収冷凍機１０を組み合わせて、発電機２をガスエンジン３で駆動すると共に、ガスエンジン３の排ガスＥＧと、ガスエンジン３を冷却する冷却水ＥＷを、吸収冷凍機１０の熱源として用いるもので、ガスエンジン３の排熱を有効に活用することができるものである。
【０００３】
上記従来の冷凍機では、各種工場やプラントの現場において、ほとんど廃棄されていた比較的温度の低い温排水を有効に活用することができない問題があった。温度の低い温排水であってもいまだ熱エネルギーを保有しており、その量が多くなれば保有している熱エネルギーも大きなものとなり、有効に活用することによって省エネルギーを図ることができる。
【特許文献１】特開２００１−１８３０２７号公報
【発明の開示】
【発明が解決しようとする課題】
【０００４】
解決しようとする課題は、温排水の熱エネルギーを有効に活用することのできる蒸気圧縮式冷凍機を得ることである。
【課題を解決するための手段】
【０００５】
本発明は、圧縮機と凝縮器と膨張弁と蒸発器からなるものにおいて、圧縮機をスクリュー式のコンプレッサとすると共に、当該スクリュー式コンプレッサの入口側に比較的低温度の温排水源を接続して、当該温排水の再蒸発蒸気をスクリュー式コンプレッサで圧縮するものである。
【発明の効果】
【０００６】
本発明の蒸気圧縮式冷凍機は、圧縮機を比較的低温度の温排水源と接続して、この温排水の再蒸発蒸気を圧縮機で圧縮することによって、温排水の熱エネルギーを有効に活用することのできる蒸気圧縮式冷凍機を得ることができる。
【発明を実施するための最良の形態】
【０００７】
本発明は、圧縮機を温排水源と接続するものであるが、温排水源としては、温排水を一旦溜め置く温排水タンクとして、この温排水タンク内で温排水から再蒸発した蒸気を圧縮機で圧縮することが好適である。
【実施例１】
【０００８】
図１において、圧縮機１と凝縮器２と膨張弁３と蒸発器４、及び、温排水源としての温排水タンク５とで蒸気圧縮式冷凍機を構成する。
【０００９】
圧縮機１はスクリュー式のコンプレッサを用いて、コンプレッサの入口と温排水タンク５の上部を管路６で接続する。温排水タンク５の左側面に温排水供給管７を接続する。温排水タンク５の右側面にタンク５内の余剰水を排除する余剰水排出管８を接続する。
【００１０】
圧縮機１の出口側に管路９を介して凝縮器２と接続する。凝縮器２の内部に管路９がコイル状に配置されて下方の膨張弁３と連通する。凝縮器２には、冷却水供給管１０を接続すると共に、エゼクター式真空ポンプ１１を接続する。エゼクター式真空ポンプ１１は、エゼクター１２とタンク１３と循環ポンプ１４とで構成され、タンク１３内の冷却水を循環ポンプ１４でエゼクター１２へ供給することによって、エゼクター１２で真空吸引力を発生して、凝縮器２の上部と下部から凝縮器２内を吸引して大気圧以下の真空状態に維持し、凝縮器２内で管路９から供給される圧縮蒸気を冷却水が蒸発することによる蒸発潜熱でもって気化冷却することができるものである。
【００１１】
凝縮器２の下方に膨張弁３を介して蒸発器４を接続する。蒸発器４には、冷媒供給管１５と排出管１６をそれぞれコイル状に接続する。凝縮器２で冷却された圧縮蒸気は低温水となって膨張弁３から蒸発器４内へ噴射されることで断熱膨張すると共に、冷媒管１５，１６内の冷媒の熱を奪って蒸発することで、冷媒を所定の低温まで冷却することができるものである。蒸発器４内で蒸発した蒸気は、管路１７をとおって再度、圧縮機１へ吸引される。
【００１２】
温排水供給管７から温排水タンク５内へ供給された温排水の一部が再度蒸発してタンク５の上部に溜まり、この再蒸発蒸気がスクリュー式コンプレッサ１に吸引されて高圧高温の蒸気となり、管路９をとおって凝縮器２へ送られて冷却されて高圧低温の低温水となって、膨張弁３から蒸発器４へ供給されて冷媒を冷却するための熱源となる。
【００１３】
スクリュー式コンプレッサ１を比較的低温度の温排水タンク５と接続して、この温排水の再蒸発蒸気をスクリュー式コンプレッサ１で圧縮することによって、温排水の保有する熱エネルギーを有効に活用することができる。
【図面の簡単な説明】
【００１４】
【図１】本発明の蒸気圧縮式冷凍機の実施例を示す構成図。
【符号の説明】
【００１５】
１  スクリュー式コンプレッサ
２  凝縮器
３  膨張弁
４  蒸発器
５  温排水タンク
７  温排水供給管
１０  冷却水供給管
１１  エゼクター式真空ポンプ
１２  エゼクター
１３  タンク
１４  循環ポンプ
１５  冷媒供給管
１６  冷媒排出管
【図１】
2010065984.tif 000003
(57)【要約】【課題】  蒸気配管系の少なくとも一部に銅系材料からなる部材が接続されたものにおいて、銅系部材の腐食を防止できる蒸気配管系の腐食防止装置を提供する。【解決手段】  ボイラ１で製造された蒸気は、蒸気主配管２、蒸気主配管２に接続された蒸気副配管３、蒸気副配管３に接続された蒸気分岐配管４ａ，４ｂ、蒸気分岐配管４ａ，４ｂに介在されたアンモニア吸着部材５ａ，５ｂ、蒸気分岐配管４ａ，４ｂが合流された蒸気合流配管６、蒸気合流配管６に接続された蒸気分配供給部材７、蒸気分配供給部材７に接続された蒸気供給配管８ａ，８ｂ，８ｃ，８ｄを通して各種蒸気使用装置に輸送される。蒸気供給配管８ａ，８ｂ，８ｃ，８ｄは銅系材料から形成され、蒸気供給配管８ａ，８ｂ，８ｃ，８ｄの一次側の蒸気主配管２乃至蒸気分配供給部材７は鉄系材料やステンレス鋼等の非銅系材料から形成される。【選択図】      図１
2010065834.tif 000002
【特許請求の範囲】
【請求項１】
ボイラで製造された蒸気を輸送する蒸気配管系の少なくとも一部に銅系材料からなる部材が接続されたものにおいて、銅系部材の一次側に蒸気中に含まれるのアンモニア成分を吸着するアンモニア吸着部材を配置したことを特徴とする蒸気配管系の腐食防止装置。
【発明の詳細な説明】
【技術分野】
【０００１】
本発明は、ボイラで製造された蒸気を輸送する蒸気配管系の少なくとも一部に銅系材料からなる部材が接続されたものにおいて、銅系部材の腐食を防止する蒸気配管系の腐食防止装置に関する。
【背景技術】
【０００２】
蒸気配管系の少なくとも一部に銅系材料からなる部材が接続されたものとして、特開昭５６−１１３９００号公報に示されたものがある。これは、油輸送管等の保温方法に関するものであり、ボイラで製造された蒸気を輸送する蒸気配管系で発生した復水を蒸気トラップや固定オリフィス又は絞り弁手段を通して銅系材料からなる排水配管に排出し、排水配管を油輸送管や計器類に配してそれらを加熱するものである。
【０００３】
ボイラで製造された蒸気には例えばボイラ給水に加えられたヒドラジンがボイラ内での熱分解することにより発生するアンモニア成分が含まれている。このアンモニア成分は銅に対する腐食性がおおきいために、蒸気配管系の少なくとも一部に銅系材料からなる部材が接続されたものにおいては、銅系部材が腐食する問題点があった。
【特許文献１】特開昭５６−１１３９００号公報
【発明の開示】
【発明が解決しようとする課題】
【０００４】
従って、本発明の技術的課題は、蒸気配管系の少なくとも一部に銅系材料からなる部材が接続されたものにおいて、銅系部材の腐食を防止できる蒸気配管系の腐食防止装置を提供することである。
【課題を解決するための手段】
【０００５】
上記の技術的課題を解決するために講じた本発明の技術的手段は、ボイラで製造された蒸気を輸送する蒸気配管系の少なくとも一部に銅系材料からなる部材が接続されたものにおいて、銅系部材の一次側に蒸気中に含まれるのアンモニア成分を吸着するアンモニア吸着部材を配置したことを特徴とする蒸気配管系の腐食防止装置にある。
【発明の効果】
【０００６】
本発明は、蒸気中のアンモニア成分がアンモニア吸着部材により銅系部材の一次側で吸着されて銅系部材に至らないので、銅系部材の腐食を防止できる蒸気配管系の腐食防止装置を提供することができるという優れた効果を生じる。
【発明を実施するための最良の形態】
【０００７】
本発明の蒸気配管系の腐食防止装置は、ボイラで製造された蒸気を輸送する蒸気配管系の少なくとも一部に銅系材料からなる部材が接続されたものにおいて、銅系部材の一次側に蒸気中に含まれるのアンモニア成分を吸着するアンモニア吸着部材を配置したものである。そのため、蒸気中のアンモニア成分がアンモニア吸着部材により銅系部材の一次側で吸着されて銅系部材に至らないので、銅系部材の腐食を防止できる。
【実施例１】
【０００８】
上記の技術的手段の具体例を示す実施例を説明する（図１参照）。ボイラ１で製造された蒸気は、蒸気主配管２、蒸気主配管２に接続された蒸気副配管３、蒸気副配管３に接続された蒸気分岐配管４ａ，４ｂ、蒸気分岐配管４ａ，４ｂに介在されたアンモニア吸着部材５ａ，５ｂ、蒸気分岐配管４ａ，４ｂが合流された蒸気合流配管６、蒸気合流配管６に接続された蒸気分配供給部材７、蒸気分配供給部材７に接続された蒸気供給配管８ａ，８ｂ，８ｃ，８ｄを通して各種蒸気使用装置に輸送される。
【０００９】
蒸気分岐配管４ａ，４ｂのアンモニア吸着部材５ａ，５ｂの一次側に開閉弁９ａ，９ｂを介在させ、蒸気分岐配管４ａ，４ｂのアンモニア吸着部材５ａ，５ｂの二次側に逆止弁１０ａ，１０ｂと開閉弁１１ａ，１１ｂを介在させる。開閉弁９ａ，９ｂ，１１ａ，１１ｂは管路を開閉する弁手段であり、逆止弁１０ａ，１０ｂはアンモニア吸着部材５ａ，５ｂから開閉弁１１ａ，１１ｂへの蒸気の流れを許容し、反対方向の通過を阻止するものである。
【００１０】
アンモニア吸着部材５ａ，５ｂとしては例えば活性炭やゼオライトからなる吸着材を充填させたものやケミカルフィルターや有機膜フィルターを使用することができる。本実施例ではリン酸添着活性炭を充填したものを使用している。蒸気供給配管８ａ，８ｂ，８ｃ，８ｄは銅系材料から形成され、蒸気供給配管８ａ，８ｂ，８ｃ，８ｄの一次側の蒸気主配管２乃至蒸気分配供給部材７は鉄系材料やステンレス鋼等の非銅系材料から形成される。
【００１１】
通常は一方の蒸気分岐配管４ａの開閉弁９ａ，１１ａを開弁し、他方の蒸気分岐配管４ｂの開閉弁９ｂ，１１ｂを閉弁して使用する。ボイラ１で製造された蒸気が蒸気主配管２、蒸気副配管３、蒸気分岐配管４ａ、開閉弁９ａ、アンモニア吸着部材５ａ、逆止弁１０ａ、開閉弁１１ａ、蒸気合流配管６、蒸気分配供給部材７、蒸気供給配管８ａ，８ｂ，８ｃ，８ｄを通して各種蒸気使用装置に輸送される。蒸気中のアンモニア成分がアンモニア吸着部材５ａにより吸着されて蒸気供給配管８ａ，８ｂ，８ｃ，８ｄに至らないので、銅系材料から形成された蒸気供給配管８ａ，８ｂ，８ｃ，８ｄの腐食を防止できる。
【００１２】
アンモニア吸着部材５ａを交換したり再生したりする場合は、蒸気分岐配管４ａの開閉弁９ａ，１１ａを閉弁し、蒸気分岐配管４ｂの開閉弁９ｂ，１１ｂを開弁する。この場合は、ボイラ１で製造された蒸気が蒸気分岐配管４ｂ側を通して蒸気供給配管８ａ，８ｂ，８ｃ，８ｄに供給されて各種蒸気使用装置に輸送される。蒸気中のアンモニア成分がアンモニア吸着部材５ｂにより吸着されて蒸気供給配管８ａ，８ｂ，８ｃ，８ｄに至らないので、銅系材料から形成された蒸気供給配管８ａ，８ｂ，８ｃ，８ｄの腐食を防止できる。
【図面の簡単な説明】
【００１３】
【図１】本発明による実施例の蒸気配管系の腐食防止装置の構成図である。
【符号の説明】
【００１４】
１  ボイラ
２  蒸気主配管
３  蒸気副配管
４ａ  蒸気分岐配管
４ｂ  蒸気分岐配管
５ａ  アンモニア吸着部材
５ｂ  アンモニア吸着部材
６  蒸気合流配管
７  蒸気分配供給部材
８ａ  蒸気供給配管
８ｂ  蒸気供給配管
８ｃ  蒸気供給配管
８ｄ  蒸気供給配管
９ａ  開閉弁
９ｂ  開閉弁
１０ａ  逆止弁
１０ｂ  逆止弁
１１ａ  開閉弁
１１ｂ  開閉弁
【図１】
2010065834.tif 000003
(57)【要約】【課題】  流体中の異物によって、弁機構の作動に支障を与えることのない蒸気トラップを提供する。【解決手段】 蒸気トラップ部１４とストレーナ部１５を上下に直列に配置して、外部の連結部材としてのボルト８とナット９によって配管４，５の一対のフランジ６，７間に挟んで固定する。ストレーナ用ケーシング１の外周に芯出しフランジ２を設ける。  入口１２から流入してきた蒸気と復水の混合流体中に混入している錆やゴミ等の異物は、フィルタ３で捕捉されるために、蒸気トラップ部１４内へ流入することがない。【選択図】 図１
2010065825.tif 000002
【特許請求の範囲】
【請求項１】
外部の連結部材によって配管の一対のフランジ間に挟んで固定されるケーシングと、当該ケーシングの内部に弁機構を設けて、蒸気の凝縮した復水を弁機構から外部へ排出すると共に、ケーシングの外周に芯出しフランジを設けたものにおいて、前記ケーシングの入口側に、前記ケーシングとほぼ同形状のストレーナ用ケーシングを配置して、当該ストレーナ用ケーシングの内部に、流体中に混入した異物を捕捉するフィルタを取り付けたことを特徴とする蒸気トラップ。
【発明の詳細な説明】
【技術分野】
【０００１】
本発明は、各種蒸気使用装置や蒸気配管で、蒸気が熱を奪われて凝縮することによって発生した復水を系外へ自動的に排出し、蒸気の外部への漏洩は防止する機能を有する蒸気トラップに関する。
【背景技術】
【０００２】
従来の蒸気トラップは、円筒状のケーシングを外部の連結部材によって配管の一対のフランジ間に、ボルトとナットで固定するものである。
【０００３】
上記従来の蒸気トラップは、蒸気トラップに流入する流体中に錆やゴミ等の異物が混入している場合に、それらの異物が弁機構部に付着堆積して、弁機構の作動を不完全なものとしてしまい、本来排出してはならない蒸気をも外部へ漏洩してしまう問題があった。
【特許文献１】特開平５−３３２４９５
【発明の開示】
【発明が解決しようとする課題】
【０００４】
解決しようとする課題は、流体中に錆やゴミ等の異物が混入していても、弁機構まで達することがなく、弁機構の作動に支障を与えることのない蒸気トラップを提供すること。
【課題を解決するための手段】
【０００５】
本発明は、外部の連結部材によって配管の一対のフランジ間に挟んで固定されるケーシングと、当該ケーシングの内部に弁機構を設けて、蒸気の凝縮した復水を弁機構から外部へ排出すると共に、ケーシングの外周に芯出しフランジを設けたものにおいて、前記ケーシングの入口側に、前記ケーシングとほぼ同形状のストレーナ用ケーシングを配置して、当該ストレーナ用ケーシングの内部に、流体中に混入した異物を捕捉するフィルタを取り付けたものである。
【発明の効果】
【０００６】
本発明によれば、トラップ用ケーシングの入口側に、ストレーナ用ケーシングを配置して、このストレーナ用ケーシングの内部にフィルタを取り付けたことにより、フィルタで異物を捕捉することができ、弁機構の作動に支障を来たすことがない。
【発明を実施するための最良の形態】
【０００７】
本発明は、トラップ用ケーシングの入口側に、ストレーナ用ケーシングを配置するものであるが、ストレーナ用ケーシングの外周にも芯出しフランジを設けることが望ましい。
【実施例１】
【０００８】
本発明の蒸気トラップは、図１に示すように、上下に直列に配置した蒸気トラップ部１４とストレーナ部１５とで構成する。蒸気トラップ部１４の内部は図示しないが従来の蒸気トラップとほぼ同一の構造を有するものである。ストレーナ部１５のストレーナ用ケーシング１の外周に芯出しフランジ２を取り付ける。蒸気トラップ部１４とストレーナ部１５は、二点鎖線で示す配管４，５のフランジ６，７の間に配置され、ボルト８とナット９からなる連結手段によって挟持される。
【０００９】
円筒状のストレーナ用ケーシング１の外周に円板状の芯出しフランジ２を設ける。ケーシング１の内部に断面コの字状のフィルタ３を止め具１０で固定する。フィルタ３には多数の小径貫通孔１１を設ける。上方の入口１２から流入してきた異物を含んだ流体が、下方の出口１３側へ流下する間に、異物は小径貫通孔１１を通過することができないために、フィルタ３に捕捉されるものである。
【００１０】
異物を除去された蒸気と復水の混合流体が、蒸気トラップ部１４内部に流入して、図示しない弁機構を介して復水だけが下部配管５内へ排出され、蒸気の漏洩は防止するものである。蒸気トラップ部１４の外周にも、ストレーナ用ケーシング１と同様な芯出しフランジ１６を取り付ける。
【００１１】
蒸気トラップ部１４へ異物の除去された流体が流入することによって、弁機構に異物が付着堆積することがなく、弁機構の作動に支障を来たすことがない。
【図面の簡単な説明】
【００１２】
【図１】本発明の蒸気トラップの一部断面構成図
【符号の説明】
【００１３】
１  ストレーナ用ケーシング
２  芯出しフランジ
３  フィルタ
４，５  配管
６，７  フランジ
８  ボルト
９  ナット
１０  止め具
１１  小径貫通孔
１２  入口
１３  出口
１４  蒸気トラップ部
１５  ストレーナ部
１６  芯出しフランジ
【図１】
2010065825.tif 000003
(57)【要約】【目的】この発明は、河川流や潮流を利用して発電することを目的としている【解決手段】水量に応じて水車を上下させて発電する。【構成】水門１と水車発電機２で構成する。【選択図】図１
2010065675.tif 000002
【特許請求の範囲】
【請求項１】
水量に応じて水車を上下させる発電機
【発明の詳細な説明】
【詳細な説明】
【産業上の利用分野】
【００１】ダムを建設せずに河川の水力を利用できる。
【背景技術】
【００２】  従来の水力発電は、水量を一定に保つためにダムを作った。そのため上流の農村や古代遺跡を埋没させてきた。
【発明が解決しようとする課題点】
【００３】  水力を安定電源として利用するにはダムの建設は避けられないが、太陽光や風力のように不安定電源として利用、起こした電力を貯蔵する技術の開発を推進すればよい。しかし、河川の水力利用では、集中豪雨の場合に発電機でせき止められて洪水にならぬなぬようにしなければならない。
【課題を解決するための手段】
【００４】  上下する軸受けで支えられた水車を水量に応じて上下させ、豪雨の場合は水車を引きあげる。
【作用】
【００５】  河川で水量が変化しても、水車を上下させる事で回転力を維持でき、豪雨の場合は引揚げることで氾濫を避けられる。
【発明の効果】
【００６】  膨大な投資と環境破壊につながるダムの建設を避けられる。川上から川下にかけて多段階に設置した発電機を電力線でつなげば、水量でも所要の電力を得られる。また橋の下に設置できるので交通の便宜も図れる。
【図面の簡単な説明】
【図１】本発明の概念図である。
【符合の説明】
１は水門
２は水車
３は軸受け
４は発電機
５はリフト
【図１】
2010065675.tif 000003
(57)【要約】【課題】  特に小さい子供は転びやすく、額にこぶを作り悪化させることが頻繁にある。打撲によるこぶの患部に冷却などの負担をかけることなく手軽にそして敏速に応急処置が施せるようにするために、糖分を主成分としたペースト状のこぶ専用の消炎鎮痛外用剤を提供する。【解決手段】  糖分２を主成分とし粘着安定剤４と水分３を含有させペースト状にしたクリーム５をこぶが出来た患部６の皮膚表面に浸透させることにより、患部を悪化させることなく手軽にそして敏速に応急処置が出来るようにする。容器１に入れ手軽に携帯できるため咄嗟のこぶにも対応ができるようにする。冷却による処置方法と異なり患部に負担をかけることなく、時間も要さないため、打撲によるこぶの広がりを抑え処置が簡単に出来るようにしたものである。【選択図】図１
2010065018.tif 000002
【特許請求の範囲】
【請求項１】
糖分を主成分とした打僕によるこぶ専用の消炎鎮痛外用剤。
【発明の詳細な説明】
【技術分野】
【０００１】本発明は、糖分を主成分とした消炎鎮痛外用剤で、即効性があり、打撲によるこぶが出来た時に患部の皮膚表面に塗ることで、負担をかけずに手軽にそして敏速に応急処置できるようにしたものである。
【技術背景】
【０００２】従来は打撲によるこぶ専用の、糖分を主成分とした消炎鎮痛品はなかった。
【０００３】従来はこぶや打撲には主に氷や冷却シートなどの冷却処置が施されていた。
【０００４】咄嗟の外出時などに携帯でき応急処置が施せる打撲によるこぶ専用の消炎鎮痛品がなかった。
【発明の開示】
【発明が解決しようとする課題】
【０００５】子供は頭部が重くよく転び、額をぶつけてこぶを作ります。こぶはみるみる腫れ上がり青いこぶとなって額を覆うものの、これまではこぶに有効に処置できる品がなかった。本発明は、小さい子供を持つ親が、子供の転倒時にも敏速に処置できるようにしたものである。【０００６】従来はこぶや打撲には氷などでの冷却処置が主だったが、患部に冷却負担がかかる上に処置にも時間を要し、小さい子供や処置を施す大人にとっても簡単なものではなかった。また、氷と同じく使用頻度の高い冷却シートも、患部が熱を持っているため剥がれやすくなり、あまり効果を得ることが出来なかった。  本発明は手軽にしかも患部に負担をかけずに敏速に処置が出来るようにしたものである。【０００７】これまでは突然の外出時の事故でこぶや打撲になった場合、すぐに氷などを手に入れることは不可能で応急処置が遅れるため、傷や青こぶになることが多かったが、本発明を携帯できることによりその難点を解消される。
【課題を解決するための手段】
【０００７】砂糖などの糖類を額の患部に塗ることでこぶが完治される。  そこで、糖類２を主成分とし、精製水３や粘着安定剤４などでペースト状にしたもの５をこぶが出来た患部６の皮膚表面に塗ることで、即効性のある消炎鎮痛効果を得ることができる。  このペースト状のクリームを手軽に携帯できるようにすることにより、咄嗟の打撲こぶに対処することが出来るようになる。【０００８】糖類２、水分３と粘着安定剤４を含有することで、患部に塗りやすいペースト状のクリーム５にする。  糖類を水分に混ぜただけの状態だと患部をしっかりと覆うことが難しく、液だれが起きるため、患部に固定するために粘着剤を使用する。
【発明の効果】
【０００９】本発明により、打撲によるこぶが出来た時に患部に負担をかけることなく、手軽にそして敏速に処置が出来るようになった。【００１０】本発明は少量で携帯できるため、外出時など咄嗟の打撲こぶにもすぐに対応できるようになった。
【発明を実施するための最良の形態】
【００１１】以下、本発明の実施の形態について説明をする。
（イ）チューブや容器１に糖類２、水分３、粘着剤４を入れ、塗りやすいペースト状のクリーム５にする。
本発明は以上の構成からなる打撲によるこぶ用の消炎鎮痛外用剤である。以下、使用法について説明する。
頭部の重い小さい子供などは転倒などで額に打撲によるこぶ６を作りやすい。その際、時間が経過すればみるみるうちに青いこぶとなって額全体へと広がっていき悪化するのだが、これまでは打撲によるこぶに対する有効な処置方法が無かった。氷や冷却シートが主な処置方法であったが、氷は患部に冷却負担がかかる上時間を要し、冷却シートだと患部が熱を持っているため剥がれやすく、十分な効果が得られなかった。  そこで、打撲した患部皮膚表面６にこのクリーム５を塗ることで、こぶの悪化を抑え、手軽にそして敏速にこぶを処置することが出来る。  患部に冷却などの負担をかけず手軽に処置できる上、携帯できるので、外出時の咄嗟の打撲によるこぶにも安心して対応できる。
【図面の簡単な説明】
【００１４】
【図１】  本発明の考案図である。
【図２】  本発明の使用状態を示す考案図である。
【符号の説明】
【００１５】  １  チューブ、容器
２  糖類
３  水分、精製水
４  粘着安定剤
５  こぶとりクリーム
６  打撲によるこぶ
【図１】
2010065018.tif 000003
【図２】
2010065018.tif 000004
(57)【要約】【課題】殺虫材直接噴霧、霧状、粘性手段による方法、捕獲、食べさせる方法等があるが隙間の狭い場所隅々迄其の効果が発揮出来ず、日時を置かずゴキブリが発生するのが現状である、又食べさせる方法にしても一次的で食べなくなるのが現状で直ちにゴキブリの出現となるのが課題である【解決手段】解決手段として、ゴキブリの好物を探し、ゴキブリが生きるために食べたくなる物を考案発明したのが本発明である、手段としては、植物の実を粉体化させ（米、糠、小麦、大麦、あわ、きび、そば、トウモロコシ、等）その粉体量と、一定割合の化学成分Ｈ３ＢＯ３を、野菜（イモ、ネギ、タマネギ）と一定量の動物乳（ヤギ、ウシ、レン乳、バター、）等を混ぜ合わせたペースト状の物に、植物実の粉体重量と化学成分材料重量の調節配合によって柔らかさを調整し、種種の形状に固形化した、ゴキブリ消滅退治餌を製品開発することが出来、課題を解決出来た。【特許請求の範囲】
【請求項１】
各種植物の実を粉体化させた材料と、化学成分材料（Ｈ３ＢＯ３）とを各種野菜と動物の乳を混合したペースト状の物に混合し、植物実の紛体量と化学成分材料量の調節配合することにより、種種の形状に固形化出来るゴキブリ消滅退治餌製造方法。
【請求項２】
化学成分材料と植物の実を粉体化した粉体量に、野菜と乳製品を混ぜ合わせた量との配合割合は重量比にして２：１の割合とした、ゴキブリ消滅退治餌製造方法。
【請求項３】
ゴキブリ消滅退治餌の１ケ当たりの重量は２グラムとし、床面積３０坪の１軒屋で２５０ｇのゴキブリ消滅退治餌を最大配布量とする。
【請求項４】
重量比配合２：１で出来た物は各種型に入れ、天日乾燥固化して各種形状製品にした、ゴキブリ消滅退治餌製造方法
【発明の詳細な説明】
【技術分野】
【０００１】ゴキブリが生きるために、好んで食べたくなる物を提供する事により自然に退治の出来る餌を種種の実験体験、確認により本発明のゴキブリ消滅退治餌を発明した、６軒の家で１年実験をしたが、各家でゴキブリが一匹も出無い事が確認済みである。小さいゴキブリも一切出ない。又他から飛んで来たものも餌を食べ死んでしまう
【背景技術】
【０００２】現在迄の消滅退治方法には種種あるが、一次的には消滅した様に見えても、日時を置かずに再び出てくる状態であるが、本発明による餌は設置して２週間後から１年間位は何処の家庭でも出てこない事が実証済みである。【０００３】表皮からの摂取作用と口からの摂取により、化学成分の消化管内の共糖微生物殺菌、及び組織酸素阻害により、脱水作用が生じ、消滅出来る餌である。
【発明の開示】
【発明が解決しようとする課題】
【０００４】殺虫材直接噴霧、煙霧状、蒸散、粘性を生かした方法、誘引物と捕獲器併用食等の方法があるが、ゴキブリの種類、大きさ、ゴキブリ住巣の隙間形状等により困難で有り、又食べさせる方法も好んで食べる餌ではなく、直ぐ食べなくなること等が現状の課題である。
【発明の実態形態】
【０００５】これらの課題を解決するにはゴキブリが好んで食べる、又食べに出て来てくれる様な、好物でなければならない、尚、取り扱いが簡単で、取り扱いの安全性が高く、安価な価格で提供出来る物でなければならない、これらの課題に着目して開発実験、確認をすることにより、上記の重量比２：１の重要性を確認出来、本発明をし課題を解決した。
【発明の効果】
【０００６】本発明によるゴキブリ消滅退治餌の使用後２週間後から約１年位はゴキブリが見られない、又ゴキブリが交信するのか、全然何処の家庭でも出なく確認実証済みである。
【０００７】今日迄各種の手段が開発されているが、それに比べて、本発明の餌はコストが廉く、効果が極めて良い、取り扱いが簡単で、衛生的である